(57)【特許請求の範囲】
【請求項１】
リフトのワイヤーロープに固着されて吊り下げられたリフトフレームの座席フレームには座席部が軸部材を回転中心として前記ワイヤーロープの移動する方向に平行する方向に回転可能に連結され、前記リフトの設置面にはガイドレールが前記ワイヤーロープから離れて静止状態に設けられ、前記ガイドレールが前記ワイヤーロープの移動に伴い前記座席部の座面を裏返した状態から表に向けて着座可能な状態に前記座席部を回転するように前記座席部に設けられた被ガイド部材を誘導する上昇スロープ部と前記ワイヤーロープの移動に伴い前記座席部の座面を表に向けた着座可能な状態を維持するように前記被ガイド部材を誘導する高位置部とを備え、前記座席部と前記座席フレームとに掛け渡された弾性材弾性部材を備え、前記被ガイド部材が前記ガイドレールから外れた状態では前記弾性部材が前記座席部の前記軸部材よりも前部を前側から上死点を経由して後側へと回転する共に前記座席部の前記軸部材よりも後部を後側から下死点を経由して前側へと回転して前記座席部の座面を後傾斜に裏返すための弾性力を前記座面部に与えるように構成されたことを特徴とするリフト座面保護装置。
【請求項２】
前記ガイドレールが前記ワイヤーロープの移動に伴い前記座席部の座面を表に出した状
態から裏返した状態に前記座席部を回転するように被ガイド部材を誘導する下降スロープ
部を備えたことを特徴とする請求項１記載のリフト座面保護装置。
【請求項３】
前記被ガイド部材が前記座席部から後方に突出すると共に座席面部に固定されたスイング部と前記ガイドレールに接触するように前記スイング部の後端部に設けられた滑動部とを備えたことを特徴とする請求項１記載のリフト座面保護装置。
【発明の詳細な説明】
【技術分野】
【０００１】
本発明は、リフトのワイヤーロープの動きを利用して座席部の座面を雨や雪或いは太陽光から保護するリフト座面保護装置に関する。
【背景技術】
【０００２】
特許文献１で開示されたリフト座面保護装置は、ガイドレールがリフトのワイヤーロープを誘導するホイールとリフトを設置する地上部としての設置面との間に配置され、リンク機構がワイヤーロープに固着されて吊り下げられたリフトフレームとこのリフトフレームの下部から前方に突出した座席フレームとの後方から上方に配置され、このリンクフレームの上部に設けられた被ガイド部材がワイヤーロープの移動に伴い座席フレームに軸部材で回転可能に取り付けられた座席部の座面を裏返した状態から表に向けて着座可能な状態に座席部を回転するようになっている。よって、リフトの移動と一緒に移動するリンク機構がリフトフレームと座席フレームとの後方から上方に配置された構造であることからリンク機構が重く、リフトを移動するモータの出力を小さくできない。
【先行技術文献】
【特許文献】
【０００３】
【特許文献１】特許第６５７９２４８号公報
【発明の概要】
【発明が解決しようとする課題】
【０００４】
本発明は、上記背景技術に鑑みてなされたものであり、リフトを移動するモータの出力を小さくできるリフト座面保護装置の提供を目的とする。
【課題を解決するための手段】
【０００５】
本発明は、リフトのワイヤーロープに固着されて吊り下げられたリフトフレームの座席フレームには座席部が軸部材を回転中心として前記ワイヤーロープの移動する方向に平行する方向に回転可能に連結され、前記リフトの設置面にはガイドレールが前記ワイヤーロープから離れて静止状態に設けられ、前記ガイドレールが前記ワイヤーロープの移動に伴い前記座席部の座面を裏返した状態から表に向けて着座可能な状態に前記座席部を回転するように前記座席部に設けられた被ガイド部材を誘導する上昇スロープ部と前記ワイヤーロープの移動に伴い前記座席部の座面を表に向けた着座可能な状態を維持するように前記被ガイド部材を誘導する高位置部とを備え、前記座席部と前記座席フレームとに掛け渡された弾性材弾性部材を備え、前記被ガイド部材が前記ガイドレールから外れた状態では前記弾性部材が前記座席部の前記軸部材よりも前部を前側から上死点を経由して後側へと回転する共に前記座席部の前記軸部材よりも後部を後側から下死点を経由して前側へと回転して前記座席部の座面を後傾斜に裏返すための弾性力を前記座面部に与えるように構成されたことを特徴とする。
【発明の効果】
【０００６】
本発明は、前記ワイヤーロープの移動に伴いガイドレールに接触して座席部の座面を裏返した状態から表に向けて着座可能な状態に前記座席部を回転するための被ガイド部材が前記座席部に設けられたことのより、被ガイド部材が軽くなり、リフトを移動するモータの出力を小さくすることができるという効果がある。
【図面の簡単な説明】
【０００７】
【図１】発明を実施するための形態に係るリフトの始発駅又は終点駅におけるリフト座面保護装置を示した側面図。
【図２】発明を実施するための形態に係るリフト座面保護装置を図１に示した矢印Ｓ方向から見た正面図。
【図３】発明を実施するための形態に係るリフト座面保護装置の座席部と座席フレームと弾性部材との関連を座席部の座面が表になった状態で示した平面図。
【図４】発明を実施するための形態に係るリフト座面保護装置の座席部と座席フレームと弾性部材との関連を座席部の座面が裏返された状態で示した側面図。
【図５】発明を実施するための形態に係るリフト座面保護装置の始発駅と中間駅と終点駅とガイドレールとの関連を示した模式図。
【発明を実施するための形態】
【０００８】
図１に示した発明を実施するための形態に係るリフト座面保護装置では、リフト１のワイヤーロープ２に固着されて吊り下げられたリフトフレーム３の下部から前方に突出した座席フレーム４には、リフト１の座席部５が左右方向（図１の紙面の表裏の側に向く方向）に延びる軸心を有する軸部材７を回転中心として前後方向に回転可能に連結されている。前記座席部５が回転する前後方向は、ワイヤーロープ２の移動する方向に平行する方向である。
【０００９】
具体的には、座席部５の軸部材７よりも後部は、座席部５が回転する場合に、座席フレーム４と干渉しないようになっている。座席部５の軸部材７よりも前部は、仮想線で示した位置から実線で示した位置となるように後方に回転して座席フレーム４の背凭れに受け止められ、座面６が裏返しになって雨や雪或いは太陽光から保護される。又、座席部５の軸部材７よりも前部は、実線で示した位置から仮想線で示した位置となるように前方に回転し、座席部５の座面６が表に向くと、座席部５がそれよりも下方に回転しないように、座席フレーム４で下方より支えられ、座席部５の座面６に着座した利用者の体重を座席フレーム４が負担する。
【００１０】
座席部５の軸部材７よりも前部及び後部が実線で示した位置から仮想線で示した位置となるように回転する方向は、座席部５が座面６を表に出す方向に回転する方向である。これとは逆に、座席部５の軸部材７よりも前部及び後部が仮想線で示した位置から実線で示した位置となるように回転する方向は、座席部５が座面６を裏返す方向に回転する方向である。ワイヤーロープ２を誘導するホイール８の回転中心を構成する支柱９は、リフト１の始発駅又は終点駅又は中間駅における地上部の設置面１０に設けられた建屋の天井部の側の上部躯体に取り付けられ、支柱９のホイール８よりも下方に突出した下端部がリフト１の利用者に邪魔にならいように、設置面１０より離れている。
【００１１】
つまり、支柱９の下端部と設置面１０との間には、リフト１の利用者に邪魔にならいように、空間が設けられた場合を例示したが、支柱９の下端部が設置面１０に立てられた構造でも適用可能である。設置面１０はリフト１を設置する場所として定められた地上部である。尚、ホイール８又は支柱９を図示のされていないモータにより回転駆動することにより、ワイヤーロープ２が移動するようになっている。
【００１２】
又、設置面１０には、ガイドレール１１が、ワイヤーロープ２と座席フレーム４と座席部５と軸部材７及びホイール８より下方に離れた固定状態で設置される。ガイドレール１１は、脚部１２で設置面１０の上に設置されており、上昇スロープ部１３と高位置部１４とを備える。上昇スロープ部１３は、ワイヤーロープ２の移動に伴い座席部５の座面６を裏返した状態から表に向けて着座可能な状態に座席部５を回転するように座席部５に設けられた被ガイド部材１７を誘導する部分であって、ワイヤーロープ２のホイール８の側に入って来る方向から高位置部１４の側に行くに従って徐々に上昇する勾配を有する。高位置部１４は、座席部５の座面６を表に向けた着座可能な状態を維持するように被ガイド部材１７を誘導する部分であって、水平になっている。上昇スロープ部１３の上位端部と高位置部１４におけるワイヤーロープ２のホイール８の側に入って来る一端部とが、互いに滑らかに連続したことにより、被ガイド部材１７の滑動部１９が上昇スロープ部１３から高位置部１４へと円滑に移動することができる。
【００１３】
脚部１２の上端部が上昇スロープ部１３に固定され、脚部１２の下端部が設置面１０に固定されたことにより、上昇スロープ部１３及び高位置部１４が脚部１２で設置面１０の上に設置されている。脚部１２の上端部は、上昇スロープ部１３及び高位置部１４の双方に固定されても、高位置部１４だけに固定されても同様に適用可能である。しかしながら、図１に示したように、脚部１２の上端部が上昇スロープ部１３に固定されことで、リフト１がスキー場に設けられた場合において、スキー板３５を履いたキーヤーが座席部５に着座する際にスキー板３５の後部が脚部１２に邪魔されることがなく座席部５に容易に着座できる。高位置部１４の終端部には、足止め部１６が設けられている。足止め部１６は、リフト１の利用者が乗り込み位置２０から高位置部１４の側に近づくことのないようにするものであって、高位置部１４の終端部から左右方向（図１の紙面の表裏の側に向く方向）の両側に延びる棒状又は筒状の部材から構成される。足止め部１６の上面は、高位置部１４の上面よりも上に突出していないことにより、被ガイド部材１７の滑動部１９が高位置部１４から足止め部１６へと円滑に移動することができる。
【００１４】
被ガイド部材１７がガイドレール１１から外れた状態では、弾性部材２１の弾性力が座席部５に与えられ、座席部５の軸部材７よりも前部が軸部材７を回転中心として前側から上死点を経由して後側へと回転し、それと同時に、座席部５の軸部材７よりも後部が軸部材７を回転中心として後側から下死点を経由して前側へと回転し、座席部５が仮想線で示した位置から実線で示した位置となって座席フレーム４の背凭れに受け止められ、座席部５の座面６が軸部材７より後傾斜に裏返されて保護されるようになっている。
【００１５】
具体的には、被ガイド部材１７は、スイング部１８と滑動部１９とを備える。スイング部１８は、座席部５から後方に突出すると共に座席面部５の裏面に固定されている。滑動部１９は、ワイヤーロープ２の移動に伴いガイドレール１１の上に接触するようにスイング部１８の後端部に設けられている。滑動部１９は、スイング部１８の後端部に回転しないように固定されても適用可能であるが、図１では滑動部１９がスイング部１８の後端部に回転可能に取り付けられたローラにより構成されたことにより、滑動部１９とガイドレール１１との接触による抵抗を減少させることができる。滑動部１９がスイング部１８の後端部に回転しないように設けられた場合は、ローラのような円形状ではなく、板状の塊であってもよい。
【００１６】
又、図１に実線で示したように、被ガイド部材１７がガイドレール１１から外れ、座席部５が座席フレーム４の背凭れに受け止められ、座席部５の座面６が裏返されている状態から、ワイヤーロープ２がホイール８の回転により矢印Ａで示した方向に移動し、リフトフレーム３が実線で示した位置から矢印Ａで示した方向に移動するのに伴い、滑動部１９がガイドレール１１の上昇スロープ部１３に接触して高位置部１４の側に引き上げられる。このように滑動部１９が上昇スロープ部１３で引き上げられるのに伴い、スイング部１８が弾性部材２１の弾性力に押し勝って軸部材７を回転中心として座席部５を実線で示した位置から仮想線で示した方向に回転する。そして、リフトフレーム３が点線で示したように矢印Ａで示した方向にさらに移動して高位置部１４に到達すると、座席部５の座面６が上に向いた水平状となって表に出て、この座面６を表に出した座席部５が着座可能になる。
【００１７】
よって、リフト１の利用者がリフト１に乗る場合、利用者は設置面１０に設けられた乗り込み位置２０の上に立って座面６が表に出て着座可能になっていることを認識して座席部５に着座すればよいので、利用者がリフト１に乗ろうとしてリフト１の前に立つてから座るまでの動作に慣れが不要で、安全である。又、利用者が表に出た座面６に着座した場合、座席部５の軸部材７よりも前部が座席フレーム４で下部より支えられ、座席部５の座面６に着座した利用者の体重を座席フレーム４が負担する。乗り込み位置２０は、リフト１に乗る利用者の立つ位置を利用者に知らせるものであって、ガイドレール１１よりもワイヤーロープ２の矢印Ａで示した方向の前側に位置して設置面１０に設けられている。
【００１８】
尚、リフト１の利用者が座席部５に着座ないまま、ワイヤーロープ２がホイール８の回転により矢印Ａで示した方向に移動し、滑動部１９がガイドレール１１の足止め部１６から前側に外れるのに伴い、弾性部材２１の弾性力により、座席部５が仮想線で示した位置から実線で示した位置に回転し、座面６が裏返されて保護される。
【００１９】
図２に示した発明を実施するための形態に係るリフト座面保護装置では、弾性部材２１が座席フレーム４と座席部５との左側部及び右側部に設けられている。つまり、リフト座面保護装置を正面から見た場合に、弾性部材２１が左右対称に設けられている。左右対称うちの一方の弾性部材２１の弾性力と左右対称のうちの他方の弾性部材２１の弾性力とからなる総和としての弾性力（以下、総弾性力と表現する）は、リフト１の利用を許可された利用者の体重より低い値、例えば、リフト１の利用を許可された利用者の体重が１０ｋｇ以上と定められている場合、上記両側に設けられた弾性部材２１の総弾性力が１０ｋｇより低い値に設定されていることにより、リフト１の利用を許可された利用者が座席部５に着座した場合、滑動部１９がガイドレール１１の足止め部１６から前側に外れても、リフト１の利用者の体重が両側に設けられた弾性部材２１の総弾性力に勝ち、座席部５が座面６を裏返す方向に回転することがなく、リフト１の利用者が座席部５に安心して着座していることができる。
【００２０】
図３及び図４に示したように、弾性部材２１は、中央の渦巻き部２２から一端部２３と他端部２４とが二股状に突出した構造であって、渦巻き部２２が軸部材７に外嵌装着され、一端部２３が座席フレーム４の内側から下部に配置され、一端部２３の先端部を折り曲げて形成された止め部２５が座席フレーム４の下部に下から受け止められ、他端部２４が座席部５の裏面に接触されたことにより、弾性部材２１が座席部５の座面６を裏返す方向への弾性力を座席部５に与えるようになっている。他端部２４の先端部を折り曲げて形成された止め部２６が座席部５の裏面に接触されたことにより、他端部２４の先端部を座席部５の裏面に接触させた場合よりも、弾性部材２１の弾性力に対する座席部５の裏面の負担が軽くなる。
【００２１】
図５に示した発明を実施するための形態に係るリフト座面保護装置では、ガイドレール１１が、リフト１の始発駅３１の上り側Ｂ、中間駅３２の上り側Ｂ及び下り側Ｃ、終点駅３３の下り側Ｃのそれぞれに配置されている。上り側Ｂは、ワイヤーロープ２のホイール８の側から出て行く側である。下り側Ｃは、ホイール８の側に入って来る側である。ガイドレール１１が上昇スロープ部１３と高位置部１４と下降スロープ部１５と備えているが、下降スロープ部１５は無くても適用可能である。
【００２２】
よって、始点駅３１の上り側Ｂにおいて、リフト１の利用者が座席部５の表側になった座面６に着座した場合は、滑動部１９が始点駅３１における上り側Ｂの下降スロープ部１５を上方に離れたまま通過する。しかしながら、始点駅３１の上り側Ｂにおいて、リフト１の利用者が座席部５に着座しない場合は、滑動部１９が始点駅３１における上り側Ｂの下降スロープ部１５を接触しながら通過し、座席部５の座面６が表に出た状態から裏返された状態にゆっくりと回転する。
【００２３】
次に、リフト１の利用者の着座した座席部５が始点駅３１の上り側Ｂから中間駅３２の上り側Ｂに到達すると、滑動部１９が中間駅３２における上り側Ｂの上昇スロープ部１３を上方に離れたまま通過して高位置部１４に到達する。そして、リフト１の利用者が中間駅３２の上り側Ｂに到達した座席部５から降りた場合は、滑動部１９が中間駅３２における上り側Ｂの高位置部１４で支持された状態から中間駅３２における上り側Ｂの下降スロープ部１５を接触しながら通過し、座席部５の座面６が表に出た状態から裏返された状態にゆっくりと回転する。しかしながら、リフト１の利用者が中間駅３２の上り側Ｂに到達した座席部５から降りないで終点駅３３の上り側Ｂに向かった場合は、滑動部１９が中間駅３２の上り側Ｂの下降スロープ部１５を上方に離れたまま通過する。
【００２４】
更に、リフト１の利用者の着座した座席部５が中間駅３２の上り側Ｂから終点駅３３の上り側Ｂに到達すると、滑動部１９が終点駅３３における上り側Ｂの上昇スロープ部１３を上方に離れたまま通過して高位置部１４に到達する。そして、リフト１の利用者が終点駅３３の上り側Ｂに到達した座席部５から降りた場合は、滑動部１９が終点駅３３における上り側Ｂの高位置部１４で支持された状態から終点駅３３における上り側Ｂの下降スロープ部１５を接触しながら通過し、座席部５の座面６が表に出た状態から裏返された状態にゆっくりと回転する。
【００２５】
次に、リフト１の利用者の着座していない座席部５が終点駅３３の上り側Ｂから下り側Ｃに到達すると、滑動部１９が終点駅３３における上昇スロープ部１３及び高位置部１４を接触しながら移動し、座席部５の座面６が表に出た着座可能な状態になる。よって、終点駅３３の下り側Ｃにおいて、リフト１の利用者が座席部５の表側になった座面６に着座した場合は、滑動部１９が終点駅３３における下り側Ｃの下降スロープ部１５を上方に離れたまま通過する。しかしながら、リフト１の利用者が終点駅３３の上り側Ｂに到達した座席部５から降りないで終点駅３３の下り側Ｃに向かった場合は、滑動部１９が終点駅３３における上り側Ｂの下降スロープ部１５及び終点駅３３における下り側Ｃの上昇スロープ部１３を上方に離れたまま通過する。
【００２６】
又、リフト１の利用者の着座した座席部５が終点駅３３の下り側Ｃから中間駅３２の下り側Ｃに到達すると、滑動部１９が中間駅３２における下り側Ｃの上昇スロープ部１３を上方に離れたまま通過して中間駅３２における下り側Ｃの高位置部１４に到達する。そして、リフト１の利用者が中間駅３２の下り側Ｃに到達した座席部５から降りた場合は、滑動部１９が中間駅３２における下り側Ｃの高位置部１４で支持された状態から中間駅３２における下り側Ｃの下降スロープ部１５を接触しながら通過し、座席部５の座面６が表に出た状態から裏返された状態にゆっくりと回転する。しかしながら、リフト１の利用者が中間駅３２の下り側Ｃに到達した座席部５から降りないで始点駅３１の下り側Ｃに向かった場合は、滑動部１９が始点駅３１における下り側Ｃの下降スロープ部１５を上方に離れたまま通過する。
【００２７】
又、リフト１の利用者の着座していない座席部５が終点駅３３の下り側Ｃから中間駅３２の下り側Ｃに到達すると、滑動部１９が中間駅３２における上昇スロープ部１３及び高位置部１４を接触しながら移動し、座席部５の座面６が表に出た着座可能な状態になる。よって、中間駅３２の下り側Ｃにおいて、リフト１の利用者が座席部５の表側になった座面６に着座した場合は、滑動部１９が中間駅３２における下り側Ｃの下降スロープ部１５を上方に離れたまま通過する。
【００２８】
図５において、ガイドレール１１としては少なくとも上昇スロープ部１３と高位置部１４とを備えていれば適用可能であるが、下降スロープ部１５を備えていても、足止め部１６を備えていても適用可能である。
【符号の説明】
【００２９】
１    リフト
２    リフト１のワイヤーロープ
３    リフト１のリフトフレーム
４    リフト１の座席フレーム
５    リフト１の座席部
６    座席部５の座面
７    座席フレーム４と座席部５とを連結した軸部材
８    ホイール
９    ホイール８の支柱
１０  設置面
１１  ガイドレール
１２  ガイドレール１１の脚部
１３  ガイドレール１１の上昇スロープ部
１４  ガイドレール１１の高位置部
１５  ガイドレール１１の下降スロープ部
１６  ガイドレール１１の足止め部
１７  被ガイド部材
１８  被ガイド部材１７のスイング部
１９  被ガイド部材１７の滑動部
２０  乗り込み位置
２１  弾性部材
２２  弾性部材２１の渦巻き部
２３  弾性部材２１の一端部
２４  弾性部材２１の他端部
２５  弾性部材２１の止め部
２６  弾性部材２１の止め部
３１  始発駅
３２  中間駅
３３  終点駅
３５  スキー板
【要約】
【課題】リフトを移動するモータの出力を小さくできるリフト座面保護装置を提供する。
【解決手段】座席部５に設けられた被ガイド部材１７が設置面１０に設けられたガイドレール１１から外れた状態では弾性部材２１の弾性力により座面６が裏を向くように座席部５が実線で示したように後傾状に裏返され、ワイヤーロープ２の移動に伴い被ガイド部材１７がガイドレール１１の上昇スロープ部１３から高位置部１４に引き上げられるまでの過程において座席部５を仮想線で示したように回転して座面６が表に出る。そして、被ガイド部材１７が高位置部１４の上を滑って通過する間は座席部５を仮想線で示した位置に保持し、座面６が表に出て着座可能な状態を維持され、座席部５の軸部材７よりも前部が座席フレーム４で下部より支えられ、座席部５の座面６に着座した利用者の体重は座席フレーム４が負担する。
【選択図】図１【図１】
0006748862.tif 000002
【図２】
0006748862.tif 000003
【図３】
0006748862.tif 000004
【図４】
0006748862.tif 000005
【図５】
0006748862.tif 000006